【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
筐体と、
接続機器の電極端子に接続される接続端子を有する端子部とを備え、
前記筐体には長さ方向が前記接続端子と前記電極端子の接続方向に一致され所定の機能を有する機能溝が形成され、
前記機能溝は長さが異なる複数の機能部が連続して形成された
バッテリー。
【請求項２】
前記機能部として第１の機能部と第２の機能部が形成された
請求項１に記載のバッテリー。
【請求項３】
前記複数の機能部が幅方向に連続して形成された
請求項１に記載のバッテリー。
【請求項４】
前記複数の機能部は長さが短い順に幅が小さくされた
請求項３に記載のバッテリー。
【請求項５】
前記複数の機能部が深さ方向に連続して形成された
請求項１に記載のバッテリー。
【請求項６】
前記複数の機能部は長さが短い順に深さが小さくされた
請求項５に記載のバッテリー。
【請求項７】
前記機能溝が幅方向において前記端子部の両側にそれぞれ形成された
請求項１に記載のバッテリー。
【請求項８】
前記筐体は、長さ方向において反対側に位置された前面及び後面と、長さ方向に直交する高さ方向において前記前面と前記後面の間に位置された天面及び底面とを有し、
前記筐体に少なくとも前記前面に開口された配置凹部が形成され、
前記端子部として前記配置凹部に配置されたコネクターが設けられ、
前記機能溝を形成する面のうち最も前記天面側に位置する面が前記配置凹部を形成する面のうち最も前記天面側に位置する面より前記底面側に位置された
請求項１に記載のバッテリー。
【請求項９】
前記筐体は高さ方向において反対側に位置された天面及び底面を有し、
前記筐体に前記接続端子が配置される端子配置溝が形成され、
前記機能溝を形成する面のうち最も前記天面側に位置する面が前記端子配置溝を形成する面のうち最も前記天面側に位置する面より前記底面側に位置された
請求項１に記載のバッテリー。
【請求項１０】
前記筐体は、幅方向において反対側に位置された二つの側面と、幅方向に直交する高さ方向において前記二つの側面の間に位置された天面及び底面とを有し、
前記筐体には前記側面に連続された段差面と前記底面に連続された溝形成面とによって切欠が形成され、
前記機能溝を形成する面のうち最も前記天面側に位置する面が前記段差面より前記底面側に位置された
請求項１に記載のバッテリー。
【請求項１１】
前記筐体には前記溝形成面に開口された被ガイド溝が形成され、
前記機能溝を形成する面のうち最も前記天面側に位置する面が前記被ガイド溝の最も前記天面側に位置する端縁より前記底面側に位置された
請求項１０に記載のバッテリー。
【請求項１２】
前記筐体には前記溝形成面に開口された被ガイド溝が形成され、
前記機能溝を形成する面のうち最も前記天面側に位置する面が前記被ガイド溝の最も前記底面側に位置する端縁より前記天面側に位置された
請求項１０に記載のバッテリー。
【請求項１３】
前記筐体は長さ方向において反対側に位置された前面及び後面を有し、
前記筐体に少なくとも前記前面に開口された配置凹部が形成され、
前記端子部として前記配置凹部に配置されたコネクターが設けられ、
前記機能溝を形成する面のうち最も前記後面側に位置する面が前記配置凹部を形成する面のうち最も前記後面側に位置する面より前記前面側に位置された
請求項１に記載のバッテリー。
【請求項１４】
前記機能溝を形成する面のうち最も前記後面側に位置する面が前記コネクターのうち最も前記前面側に位置する面より前記後面側に位置された
請求項１３に記載のバッテリー。
【請求項１５】
前記筐体は長さ方向において反対側に位置された前面及び後面を有し、
前記筐体に前記接続端子が配置される端子配置溝が形成され、
前記機能溝を形成する面のうち最も前記後面側に位置する面が前記端子配置溝を形成する面のうち最も前記後面側に位置する面より前記前面側に位置された
請求項１に記載のバッテリー。
【請求項１６】
前記筐体は、長さ方向において反対側に位置された前面及び後面と、長さ方向に直交する幅方向において前記前面と前記後面の間に位置された二つの側面と、長さ方向及び幅方向にともに直交する高さ方向において前記前面と前記後面の間及び前記二つの側面の間に位置された天面及び底面とを有し、
前記筐体には前記側面に連続された段差面と前記底面に連続された溝形成面とによって切欠が形成され、
前記筐体には前記溝形成面と前記前面に開口された被ガイド溝が形成され、
前記機能溝を形成する面のうち最も前記後面側に位置する面が前記被ガイド溝のうち最も前記後面側に位置する面より前記前面側に位置された
請求項１に記載のバッテリー。
【請求項１７】
前記筐体は、長さ方向に直交する幅方向において前面と後面の間に位置された二つの側面と、長さ方向及び幅方向にともに直交する高さ方向において前記前面と前記後面の間及び前記二つの側面の間に位置された天面及び底面とを有し、
前記第１の機能部と前記第２の機能部が幅方向に連続して形成されると共に前記第１の機能部が前記第２の機能部より幅方向における中央側に位置され、
幅方向において前記第２の機能部における前記第１の機能部に連続する面が前記第１の機能部とは反対側に位置する前記側面に近付くに従って前記底面側に変位する傾斜面に形成された
請求項２に記載のバッテリー。
【請求項１８】
前記所定の機能が前記接続機器の種類を識別する識別機能である
請求項１に記載のバッテリー。
【請求項１９】
筐体と電極端子に接続される接続端子を有する端子部とを備えたバッテリーが着脱可能とされ、
前記バッテリーにおいて、前記筐体には長さ方向が前記接続端子と前記電極端子の接続方向に一致され所定の機能を有する機能溝が形成され、前記機能溝は長さが異なる複数の機能部が連続して形成された
接続機器。
【手続補正２】
【補正対象書類名】明細書
【補正対象項目名】００１０
【補正方法】変更
【補正の内容】
【００１０】
第１に、本技術に係るバッテリーは、筐体と、接続機器の電極端子に接続される接続端子を有する端子部とを備え、前記筐体には長さ方向が前記接続端子と前記電極端子の接続方向に一致され所定の機能を有する機能溝が形成され、前記機能溝は長さが異なる複数の機能部が連続して形成されたものである。
【手続補正３】
【補正対象書類名】明細書
【補正対象項目名】００４６
【補正方法】変更
【補正の内容】
【００４６】
第１９に、本技術に係る接続機器は、筐体と電極端子に接続される接続端子を有する端子部とを備えたバッテリーが着脱可能とされ、前記バッテリーにおいて、前記筐体には長さ方向が前記接続端子と前記電極端子の接続方向に一致され所定の機能を有する機能溝が形成され、前記機能溝は長さが異なる複数の機能部が連続して形成されたものである。
【手続補正４】
【補正対象書類名】明細書
【補正対象項目名】０４８８
【補正方法】変更
【補正の内容】
【０４８８】
１…バッテリー、２…筐体、３０…識別溝、３１…第１の識別部、３２…第２の識別部、３３…コネクター、３５…接続端子、５０…撮像装置（接続機器）、６１…電極端子、８０…充電器（接続機器）、９５…電極端子、８０Ａ…充電器（接続機器）、８０Ｂ…充電器（接続機器）、１Ａ…バッテリー、１Ｂ…バッテリー、３３Ａ…コネクター、１Ｃ…バッテリー、２Ｃ…筐体、１６…給電器、１７…筐体、３４…外部用コネクター、３６…接続端子、３９…内部用コネクター、４１…接続端子、１００…撮像装置（接続機器）、５０…アダプター、５１…筐体、７２…識別溝、７３…第１の識別部、７４…第２の識別部、８９…中継用コネクター、９１…接続端子、９２…接続用コネクター、９４…接続端子、２００…撮像装置（接続機器）、１０…バッテリー、１７…筐体、２９…コネクター、３１…接続端子、５０…アダプター、５１…筐体、７６…識別溝、７７…第１の識別部、７８…第２の識別部、７９…中継用コネクター、８１…接続端子、８２…接続用コネクター、８４…接続端子